(57)【要約】【課題】記録再生条件情報といった小容量の情報を記録するためのホログラフィック記録されない層を有し、ホログラフィック記録層からの再生を行うことができる光記録媒体を提供する。【解決手段】基板２上に反射層３と、記録層４と、波長選択反射層８と、ホログラフィック記録層９とが順次積層され、ホログラフィック記録層９側から参照光と信号光とを干渉させてホログラフィック記録層９に干渉縞として情報が記録され、ホログラフィック記録層９に記録されている干渉縞に参照光を照射して情報が再生される光記録媒体１において、記録層４は、相変化層、色素層又は熱的混合による反射率差を生じる２種類の無機物が積層された無機物層である。【選択図】図１
2008004232.tif 000002
【特許請求の範囲】
【請求項１】
凹凸部が形成された基板上に反射層と、記録層と、波長選択反射層と、ホログラフィック記録層とが順次積層され、前記ホログラフィック記録層に参照光と信号光とを照射して前記ホログラフィック記録層において干渉縞として前記信号光に基づく情報が記録され、前記ホログラフィック記録層に記録されている干渉縞に参照光を照射して情報が再生される光記録媒体において、
前記記録層は、前記信号光による情報の量よりも少ない情報を記録する相変化層、色素層又は熱的混合による反射率差を生じる２種類の無機物が積層された無機物層であることを特徴とする光記録媒体。
【請求項２】
前記記録層には、前記ホログラフィック記録層に干渉縞として記録した際の記録情報を記録する領域を有することを特徴とする請求項１記載の光記録媒体。
【発明の詳細な説明】
【技術分野】
【０００１】
本発明は、ホログラフィを利用して情報を記録する光記録媒体に関する。
【背景技術】
【０００２】
ホログラフィックを利用した光記録媒体への記録は、イメージ情報を持った信号光と参照光とを干渉させてホログラフィック記録層に干渉縞としてイメージ情報を記録することにより行われる。光記録媒体からの再生は、上記したイメージ情報が記録されたホログラフィック記録層に参照光を照射して、イメージ情報を読み出すことによって行われる。
【０００３】
このような光記録媒体が特許文献１に記載されている。
即ち、特許文献１には、円板状の透明基板上に偏光変更層と、ホログラフィック記録層と、反射膜と、基板（保護層）とが順次積層されたホログラフィック記録媒体について記載されている。
更に、基板（保護層）には、複数の位置決め領域としてのアドレス・サーボエリアが所定の角度間隔で設けられ、隣接するアドレス・サーボエリア間にはデータエリアが設けられている。アドレス・サーボエリアには、サンプルドサーボ方式によってフォーカスサーボ情報、トラッキングサーボ情報及びアドレス情報が予めエンボスピットによって記録されている。
この光記録媒体の記録は、アドレス・サーボエリアにサーボ光を照射してフォーカスサーボ情報、トラッキングサーボ情報及びアドレス情報を検出しながら、参照光と情報光とを干渉させることによってホログラフィック記録層に干渉縞を形成して記録する。
【０００４】
その再生は、アドレス・サーボエリアにサーボ光を照射してフォーカスサーボ情報、トラッキングサーボ情報及びアドレス情報を検出しながら、参照光のみをホログラフィック記録層に照射して行う。
【特許文献１】特開２００４−１８５７０７号公報
【発明の開示】
【発明が解決しようとする課題】
【０００５】
しかしながら、この光記録媒体は、大容量の情報をクロストークなく記録できるという利点を有するが、ホログラフィック記録層に記録された記録情報を再生する場合、再生条件がわずかに異なるだけで再生することができないといった欠点を有している。
例えば、ホログラフィック記録層に記録された記録情報を再生する際に、参照光の波長の若干の違い等により再生できない場合がある。
また、ホログラフィック記録層は、干渉縞によるイメージ情報記録であるため、数Ｋバイト以上単位の大容量の情報を記録するのには適するが、ホログラフィック記録層に記録した際の記録条件情報や再生条件情報といった数バイト程度の少量の情報記録には不向きであった。
【０００６】
そこで、本発明は、前述の課題に鑑みて提案されるものであって、記録再生条件情報といった小容量の情報を記録するためのホログラフィック記録されない層を有し、この再生条件情報を用いてホログラフィック記録層からの再生を安定して行うことができる光記録媒体を提供することを目的とする。
【課題を解決するための手段】
【０００７】
本発明の第１の発明は、凹凸部が形成された基板上に反射層と、記録層と、波長選択反射層と、ホログラフィック記録層とが順次積層され、前記ホログラフィック記録層に参照光と信号光とを照射して前記ホログラフィック記録層において干渉縞として前記信号光に基づく情報が記録され、前記ホログラフィック記録層に記録されている干渉縞に参照光を照射して情報が再生される光記録媒体において、前記記録層は、前記信号光による情報の量よりも少ない情報を記録する相変化層、色素層又は熱的混合による反射率差を生じる２種類の無機物が積層された無機物層であることを特徴とする光記録媒体を提供する。
第２の発明は、前記記録層には、前記ホログラフィック記録層に干渉縞として記録した際の記録情報を記録する領域を有することを特徴とする請求項１記載の光記録媒体を提供する。
【発明の効果】
【０００８】
本発明によれば、記録層は、信号光による情報の量よりも少ない情報を記録する相変化層、色素層又は熱的混合による反射率差を生じる２種類の無機物が積層された無機物層であるので、これらの層は、ホログラフィック記録する層でないため、これらの層にサーボ用レーザ光の強度変調による熱記録により記録条件情報を記録しておき、この記録再生条件情報を用いてホログラフィック記録層からの再生を安定に行うことができる。
【発明を実施するための最良の形態】
【０００９】
以下、本発明に係る実施の形態について、図面を参照して詳細に説明する。
図１は、本発明の実施の形態の光記録媒体を示す断面図である。図２は、光記録媒体への記録方法を示すフローチャートである。図３は、光記録媒体への再生方法を示すフローチャートである。図４は、光記録媒体への再生方法を説明するための光記録媒体の断面図である。図５は、他の再生方法を示す断面図である。図６は、実施の形態の第１変形例を示す断面図である。図７は、実施の形態の第２変形例を示す断面図である。図８は、記録再生装置を示す概略図である。図９は、図８の記録再生装置の第１変形例を示す概略図である。図１０は、図８の記録再生装置の第２変形例を示す概略図である。
【００１０】
図１に示すように、光記録媒体１は、凹部２Ａと凸部２Ｂによりフォーマット信号が形成された円板状の基板２上に反射層３と、第１誘電体層４と、相変化記録層５と、第２誘電体層６と、平滑層７と、波長選択反射層８と、ホログラフィック記録層９と、カバー層１０とが順次積層された構成を有する。サーボ光、信号光及び参照光は、カバー層１０側から入射させる。
【００１１】
基板２は、ガラス系、ポリカーボネートに代表されるプラスチック系若しくはＮｉ系、Ａｇ系、Ａｌ系などの合金からなる金属材料からなる。
反射層３は、基板２に形成されているフォーマット信号に含まれる情報を読み取るためのサーボ光を反射させるために設けられたものであり、ＡｌやＡｇ若しくはそれらを主成分とする合金薄膜や誘電体が多層に積層された誘電体ミラー等の材料が用いられる。また、この反射層３は、サーボ光が照射されることにより発生する熱の冷却機能も有する。
フォーマット信号に含まれる情報としては、ディスク型式、生産者名、コピーマネジメント情報、ディフェクト情報、アドレス情報相変化記録層５及びホログラフィック記録層９への記録条件等がある。
第１、第２誘電体層４，６としては、ＺｎＳ−ＳｉＯ2等の材料からなる。
【００１２】
相変化記録層５としては、アモルファス状態と結晶状態の２態様を有し、結晶状態の方がアモルファス状態に対して反射率が大きい材料が用いられ、Ｓｅ、Ｔｅ等のカルコゲン元素を含む化合物であるＳｂＴｅ、ＧｅＳｂＴｅ、ＡｇＩｎＳｂＴｅ等の材料が用いられる。これらのＳｂとＴｅを少なくとも含む化合物は、Ｓｂ／Ｔｅの比を１．０〜３．５にして、必要に応じてＧｅ、Ｉｎ、Ａｇ、Ｓｎを添加したものでも良い。
【００１３】
相変化記録層５には、ホログラフィック記録層９に記録されている情報のアドレス情報、日時の情報、記録再生装置の機種、固有番号情報、最適記録パワー情報、コンテンツのインデックス情報、コピーマネージメント情報、ディフェクト情報、代替エリアへの記録情報などが記録される。また、相変化記録層５には、位相変調ホログラムで記録された場合には、前記参照光の位相情報が記録され、スペックル変調ホログラムで記録された場合には、前記参照光のスペックルパターン情報が記録される。
【００１４】
平滑層７としては、初期状態では、流動性があり、熱、光、紫外線或いは酸化作用によって硬化し、硬化後にサーボ光が透過するような光学特性を有する樹脂系材料が用いられる。
波長選択反射層８としては、サーボ光の波長λ１を透過し、信号光及び参照光の波長λ２を反射する特性を有する材料が選択され、アモルファスカーボン、ＤＬＣ（ダイヤモンドライクカーボン）、或いはこれらにＨ又はＮを含有させたもの、Ｓｉ、ＳｉＨｘ、ＳｉＮｘが用いられる。
この波長選択反射層８は、６０％以上のサーボ光を透過する必要がある。
【００１５】
更に、波長選択反射層８としては、屈折率の大きい材料と屈折率の小さい材料とを所定の厚さで積層することによって得られるダイクロイックミラーの機能を有する材料を用いることもできる。屈折率の大きい材料としては、Ｎｂ2Ｏ5、Ｔａ2Ｏ5、ＺｎＳ−ＳｉＯ2、Ｓｉ3Ｎ4、ＴｉＯ2が用いられ、屈折率の小さい材料としては、ＭｇＦ2、ＳｉＯ2が用いられる。
波長選択反射層８にダイクロイックミラー機能を有する材料を用いた場合には、サーボ光に対する信号光及び参照光との分離を確実にすることができる。
【００１６】
ホログラフィック記録層９としては、干渉光が弱めあった部分と強め合った部分とで屈折率、反射率、吸収率等の光学定数が変調される材料が用いられ、フォトポリマー、カルコゲナイト化合物、色素、フォトリフラクティブ結晶等の材料が用いられる。
カバー層１０としては、ポリカーボネート製の円形で平板の基板、シートや紫外線硬化樹脂が用いられる。
【００１７】
次に、このホログラフィック記録媒体への記録再生方法について図１に図２を併せ用いて説明する。
まずは、記録方法について説明する。
図２に示すように、図示しない記録再生装置を用いて、光記録媒体１のカバー層１０側からサーボ光を基板２に対して垂直に入射させて、フォーカスさせると共にトラッキングをとる（ステップ１）。
【００１８】
次に、トラッキングを取りながら、基板２に記録されているフォーマット信号を検出して、上記したディスク型式、生産者名等の情報を図示しない記録再生装置の記憶部に格納する（ステップ２）。
【００１９】
次に、前記図示しない記録再生装置の記憶部に格納された情報を読み出し、相変化記録層５及びホログラフィック記録層９の試し書き領域に記録を行った後、再生を行って得られる変調度、ジッタやＳＮＲ特性等によりそれぞれの層の記録条件の最適値を求めて、前記図示しない記録再生装置の記憶部に格納する（ステップ３）。記録条件情報は、例えば、サーボ光の強度変調による熱記録によって記録される。
ホログラフィック記録層９への記録は、数Ｋバイトから数Ｍバイトのイメージデータからなるページ形式の２次元の信号光によって行われ、この信号光をホログラフィック記録層９に入射させると共に参照光を信号光に対して所定の角度を有して入射させて干渉させ、このホログラフィック記録層９に干渉縞を形成することによって行われる。
具体的には、それぞれの層の記録条件の最適値は、参照光及び信号光を基準エネルギーに対して±３０％程度の範囲内で段階的に変化させて行って求められる。
【００２０】
次に、図示しない記録再生装置の記憶部に格納されたそれぞれの層の記録条件の最適値にエラー訂正等の処理を施して相変化記録層５の所定アドレス領域に記録する（ステップ４）。
【００２１】
次に、ホログラフィック記録層９にデータが記録された最後のアドレス情報及び最適記録条件を前記図示しない記録再生装置の記憶部から読み出して（ステップ５）、信号光と参照光を互いに干渉させてホログラフィック記録層９に干渉縞を記録することによって情報の記録を行った後、この情報の記録を終了した最終アドレスを前記図示しない記録再生装置の記憶部に格納する（ステップ６）。
【００２２】
次に、前記図示しない記録再生装置の記憶部に格納されたアドレスを相変化記録層５のアドレス領域に数バイトから数百バイトのビットデータとしてシーケンシャルに記録する（ステップ７）。
次に、ファイナライズとして全ての記録終了情報を相変化記録層５に記録する（ステップ８）。
【００２３】
次に、再生方法について図３及び図４を用いて説明する。
図３及び図４に示すように、図示しない記録再生装置を用いて、ホログラフィック光記録媒体１のカバー層１０側からサーボ光を基板２に対して垂直に入射させてフォーカスさせると共にトラッキングをとる（ステップ１）。
【００２４】
次に、トラッキングを取りながら、サーボ光を相変化記録層５に入射させて、相変化記録層５に記録されている記録終了情報を読み出した後、図示しない記録再生装置の記憶部に格納する（ステップ２）。
【００２５】
次に、前記図示しない記録再生装置の記憶部に格納された情報を読み出し、前記図示しない記録再生装置の制御部により、最適な再生条件に調整する。（ステップ３）。
【００２６】
次に、読み出された最適な再生条件を用いて、参照光をホログラフィック記録層９に対して所定の角度で入射させて互いにホログラフィック記録層９に記録されている干渉縞で生じた回折光を再生光とし、波長選択反射層８で反射させてカバー層１０側から出射させた後、図示しない光検出アレイで検出する（ステップ４）。
図示しない光検出アレイでは、再生光を光電変換した後、電気信号に変換して情報を再生する（ステップ５）。
【００２７】
参照光は、図５に示すように、信号光の光軸に対して、上記した図４に示した方向と対称な方向から入射しても良い。この場合、波長選択反射層８で反射した参照光は、位相共役参照光となり、ホログラフィック記録層９で回折され、信号光の光軸方向に出射する。この位相共役参照光と信号光とは位相共役の関係がある。位相共役参照光を用いると、例えば、ホログラフィック記録層９に参照光を集光する集光レンズに収差があっても大部分が記録と再生でキャンセルされるという利点があり、記録再生装置の簡略化、低コスト化を図ることができる。
【００２８】
以上のように、本発明の実施の形態によれば、光記録媒体１が相変化記録層５を備えているので、この相変化記録層５に記録再生条件情報を記録しておき、ホログラフィック記録層９からの再生を安定して行うことができる。
【００２９】
次に、この光記録媒体１の製造方法について図１を用いて説明する。
（基板の準備工程）
図１に示すように、予めフォーマット信号が凹凸により同心円状又はスパイラル状に記録されたガラス又はポリカーボネートからなる厚さ０．６ｍｍ、直径１２０ｍｍの基板２を用意する。
凹凸は、基板２がガラスの場合にはホトリソグラフィ法を用いて形成でき、ポリカーボネートの場合には、スタンパを用いて形成でき、その深さは、２０ｎｍ〜２００ｎｍである。
【００３０】
（反射層の形成工程）
次に、ＤＣスパッタ法により、基板２上に厚さ２０〜２００ｎｍのＡｇを成膜して反射層３を形成する。
【００３１】
（第１誘電体層の形成工程）
次に、ＲＦスパッタ法により、反射層３上に厚さ５〜５０ｎｍのＺｎＳ：ＳｉＯ2＝８０：２０ｍｏｌ％の膜を成膜して第１誘電体層４を形成する。
【００３２】
（相変化記録層の形成工程）
次に、ＤＣスパッタ法により、厚さ５〜２０ｎｍの（ＧｅＳｂ）：Ｔｅ＝７０〜７２：２１〜２３ａｔ％の膜を成膜して第１誘電体層４上に相変化記録層５を形成する。
【００３３】
（第２誘電体層の形成工程）
次に、ＲＦスパッタ法により、相変化記録層５上に厚さ２０〜７０ｎｍのＺｎＳ：ＳｉＯ2＝８０：２０ｍｏｌ％の膜を成膜して第２誘電体層６を形成する。
【００３４】
（相変化層結晶化工程）
次に、基板を回転させながら、波長８１０ｎｍの波長のレーザ光を第２誘電体層６上から照射して、相変化記録層５を結晶化温度以上に上昇させた後除冷して相変化記録層５の結晶化を行う。
【００３５】
（平滑層の形成工程）
次に、スピンコート法により、第２誘電体層６上に粘度１００ｃＰ〜１０００ｃＰの紫外線硬化樹脂を平均厚さ１００ｎｍ以上の厚さで塗布した後、紫外線を照射して硬化させて光学的に平坦な平滑層７を形成する。
【００３６】
（波長選択反射層の形成工程）
次に、平滑層７上にＳｉＮやＳｉＨ等の材料からなる波長選択反射層８を形成する。
【００３７】
（ホログラフィック記録層の形成工程）
次に、波長選択反射層８上に厚さ０．２ｍｍのＡｐｒｉｌｉｓ社製のフォトポリマーを形成してホログラフィック記録層９を形成する。
【００３８】
（カバー層の形成工程）
次に、ホログラフィック記録層９上に厚さ０．３ｍｍのカバー層１０を形成して光記録媒体１を作製する。
【００３９】
次に、実施の形態の第１変形例について図６を用いて説明する。
図６に示すように、第１変形例の光記録媒体１１は、光記録媒体１における相変化記録層５を熱分解や基板形状の変化を伴う色素記録層１２にしたものであり、これ以外は同様である。
この第１変形例の光記録媒体１１によっても実施の形態と同様の効果が得られる。
この光記録媒体１１の製造方法は、光記録媒体１の製造方法における（相変化記録層の形成工程）において、スピンコート法により、シアニン系色素を第１誘電体層４上に塗布を行って色素記録層１２を形成する以外は同様である。
【００４０】
次に、実施の形態の第２変形例について図７を用いて説明する。
図７に示すように、第２変形例の光記録媒体１３は、光記録媒体１における相変化記録層５を熱分解や基板形状の変化を伴う色素記録層１２にし、第１、第２誘電体層４、６及び平滑層７を除去したものであり、これ以外は同様である。
この第２変形例の光記録媒体１３によっても実施の形態と同様の効果が得られる。
この光記録媒体１３の製造方法は、光記録媒体１の製造方法における（相変化記録層の形成工程）において、スピンコート法により、シアニン系色素を第１誘電体層４上に塗布して色素記録層１２を形成し、（第１誘電体層の形成工程）、（第２誘電体層の形成工程）及び（平滑層の形成工程）を除去したものであり、これ以外は同様である。
【００４１】
また、相変化記録層５や色素記録層１２の代わりに熱的混合による反射率差が生じる２種類の無機物、例えばＣｕやＡｌとＳｉが積層された記録膜を用いても良い。
【００４２】
次に、光記録媒体１への記録再生を行うための記録再生装置について図８を用いて説明する。
図８に示すように、記録再生装置１４は、信号光或いは参照光となるレーザを出射する信号用レーザ素子１５と、サーボ光を出射するサーボ用レーザ素子１６と、信号用レーザ素子１５から出射されるレーザ光を平行にするコリメートレンズ１７と、サーボ用レーザ素子１６から出射されるサーボ光を平行にするコリメートレンズ１８と、コリメートレンズ１７で平行にされたレーザ光の一部を透過して信号光に、その他を反射して参照光にするハーフミラー１９と、ハーフミラー１９で反射された参照光を反射させる第１反射ミラー２０と、第１反射ミラー２０で反射された参照光を反射させて光記録媒体１に入射させる第２反射ミラー２１とを備えている。
【００４３】
更に、記録再生装置１４は、ハーフミラー１９を透過した信号光のＳ偏光成分を反射して、Ｐ偏光成分を透過させる偏光分離膜２２Ａを有する偏光ビームスプリッタ２２と、偏光分離膜２２Ａで反射されたＳ偏光成分の信号光を画像信号に応じた光変調を行うと共にＰ偏光成分の信号光として反射させる空間光変調素子２３と、偏光ビームスプリッタ２２の偏光分離膜２２Ａを透過した空間光変調素子２３で反射されたＰ偏光成分の信号光を透過し、コリメートレンズ１８で平行にされたサーボ光を反射させる波長選択性ビームスプリッタ２４と、波長選択性ビームスプリッタ２４を通過したＰ偏光成分の信号光を円偏光にして出射させると共にサーボ光をそのまま透過させる１／４波長板２５と、１／４波長板２５から出射する円偏光及びサーボ光を光記録媒体１に結像させるレンズ２６と、光記録媒体１の反射層３で反射されたホログラフィック記録層９に記録された情報をレンズ２６，１／４波長板２５，波長選択性ビームスプリッタ２４、偏光ビームスプリッタ２２を介して検出する光検出アレイ２７とを備えている。
【００４４】
また、空間光変調素子２３とレンズ２６との間及びレンズ２６と光記録媒体１との間の距離ｆは、等しくなるように、空間光変調素子２３、レンズ２６及び光記録媒体１は、それぞれ配置されている。
この距離ｆは、レンズ２６の屈折率を考慮した実効的な焦点距離である。
このように光記録媒体１を配置することにより、光記録媒体１の位置は、フーリエ変換面となる。
【００４５】
次に、記録再生装置１４の記録再生方法について説明する。
以下では、上記したサーボ光を照射してフォーマット信号を検出する動作説明を省略している。
まずは、記録方法について説明する。
信号光用レーザ素子１５からＳ偏光成分の信号光を出射させ、コリメートレンズ１７で平行にした後、ハーフミラー１９で一部を反射して参照光とし、その他を透過して信号光とする。ハーフミラー１９を透過したＳ偏光成分の信号光を偏光ビームスプリッタ２２の偏光分離膜２２Ａで反射させて空間光変調素子２３に入射させる。
【００４６】
このＳ偏光成分の信号光は空間光変調素子２３で画像信号に応じて信号変調されると共に光変調されＰ偏光成分の信号光にされ、偏光分離膜２２Ａを透過して波長選択性ビームスプリッタ２４を透過し、１／４波長板２５で円偏光にされた後、レンズ２６で光記録媒体１のホログラフィック層９に集光される。一方、ハーフミラー１９で反射された参照光は、第１反射ミラー２０及び第２反射ミラー２１で反射されて光記録媒体１のホログラフィック記録層９に所定の角度を有して入射する。
そして、このホログラフィック記録層９で参照光と信号光とを干渉させてホログラフィック記録層９中に干渉縞を生成して情報を記録する。
【００４７】
次に、再生方法について説明する。
再生の場合は、参照光のみを用いる。
信号用レーザ素子１５からＳ偏光成分の信号光を出射させ、コリメートレンズ１７で平行にした後、ハーフミラー１９で一部を反射して参照光とし、その他を透過して信号光とする。再生においては、この透過した信号光は図示しないシャッタ等で遮断される。
【００４８】
ハーフミラー１９で反射された参照光は、第１反射ミラー２０及び第２反射ミラー２１で反射されて光記録媒体１のホログラフィック記録層９に所定の角度を有して入射する。
【００４９】
そして、ホログラフィック記録層９に記録されている干渉縞で回折して再生光が生成されると、この再生光は、レンズ２６を介して１／４波長板２５に入射して、Ｓ偏光成分に変換された後、波長選択性ビームスプリッタ２４を介して偏光ビームスプリッタ２２の偏光分離膜２２Ａに入射し、ここで反射されて光検出アレイ２７に入射する。
光検出アレイ２７に入射した再生光は、光検出アレイ２７で光電変換されて再生信号とし信号処理を行ってホログラフィック記録層９に記録されている情報を再生する。
【００５０】
光記録媒体１への記録再生は、記録再生装置１４の代わりに記録再生装置２８を用いることもできる。
図９に示すように、記録再生装置２８は、記録再生装置１４のハーフミラー１９、第１，第２反射ミラー２０，２１を除去し、信号用レーザ素子１５から出射されるレーザ光を信号光と参照光として共通に用いるようにしたものであり、これ以外は同様である。
【００５１】
更に、光記録媒体１への記録再生は、記録再生装置１４の代わりに記録再生装置２９を用いることもできる。
図１０に示すように、記録再生装置２９は、記録再生装置１４の第２反射ミラー２１で反射された参照光の光路上に、この参照光に特定のパターンを重畳するための位相変調用空間光変調素子３０を配置したものであり、これ以外は同様である。
この特定のパターンとしては、記録時の位相パターンやスペックルパターンがある。位相変調用空間光変調素子３０から出射される特定パターンが重畳された参照光が光記録媒体１の相変化記録層５に記録されている情報と一致しない場合には、再生ができないので、セキュリティを高めることができる。
【００５２】
なお、相変化記録層５に記録される情報としては、ホログラム記録時の位相パターンやスペックルパターンを暗号化して記録したものでも良い。
【図面の簡単な説明】
【００５３】
【図１】本発明の実施の形態の光記録媒体を示す断面図である。
【図２】光記録媒体への記録方法を示すフローチャートである。
【図３】光記録媒体への再生方法を示すフローチャートである。
【図４】光記録媒体への再生方法を説明するための光記録媒体の断面図である。
【図５】他の再生方法を示す断面図である。
【図６】実施の形態の第１変形例を示す断面図である。
【図７】実施の形態の第２変形例を示す断面図である。
【図８】記録再生装置を示す概略図である。
【図９】図９の記録再生装置の第１変形例を示す概略図である。
【図１０】図９の記録再生装置の第２変形例を示す概略図である。
【符号の説明】
【００５４】
１，１１，１３…光記録媒体、２…基板、２Ａ…凹部、２Ｂ…凸部、３…反射層、４…第１誘電体層、５…相変化記録層、６…第２誘電体層、７…平滑層、８…波長選択反射層、９…ホログラフィック記録層、１０…カバー層、１３…色素記録層、１４，２８，２９…記録再生装置、１５…信号用レーザ素子、１６…サーボ用レーザ素子、１７，１８…コリメートレンズ、１９…ハーフミラー、２０…第１反射ミラー、２１…第２反射ミラー、２２…偏光ビームスプリッタ、２２Ａ…偏光分離膜、２３…空間光変調素子、２４…波長選択性ビームスプリッタ、２５…１／４波長板、２６…レンズ、２７…光検出アレイ、３０…位相変調用空間光変調素子
【図１】
2008004232.tif 000003
【図２】
2008004232.tif 000004
【図３】
2008004232.tif 000005
【図４】
2008004232.tif 000006
【図５】
2008004232.tif 000007
【図６】
2008004232.tif 000008
【図７】
2008004232.tif 000009
【図８】
2008004232.tif 000010
【図９】
2008004232.tif 000011
【図１０】
2008004232.tif 000012